(57)【要約】【課題】蛍光管等の側面にランプピンを有し直列に配置される蛍光ランプ等において、照明の連続性を向上させる。【解決手段】蛍光管１１ａの少なくとも一端面１３ａの一部が蛍光管１１ａの円筒軸１４ａに対し傾いており、隣接する二本の蛍光管１１ａの対向する端面１３ａ同士が、蛍光管１１ａの長さ方向に対し垂直方向から見て少なくとも一部重なって対向する端面１３ａ間の間隙を相補的に補うような形状に、蛍光ランプを形成する。【選択図】図５
2008282743.tif 000002
【特許請求の範囲】
【請求項１】
ランプ管の側面にランプピンを有し直列に配置される照明ランプにおいて、前記ランプ管の少なくとも一端面の一部が該ランプ管の円筒軸に対し傾いており、隣接する二本の該ランプ管の対向する端面同士が、該ランプ管の長さ方向に対し垂直方向から見て少なくとも一部重なって、前記対向する端面間の間隙を相補的に補うような形状に形成されていることを特徴とする照明ランプ。
【請求項２】
前記ランプ管の両端面が互いに平行な平面で、該両端面が、該ランプ管の円筒軸を含みランプピンに平行な平面に対して、垂直であることを特徴とする請求項１記載の照明ランプ。
【請求項３】
前記ランプ管の両端面が互いに平行な平面で、該両端面が、該ランプ管の円筒軸を含みランプピンに平行な平面に対して、傾いていることを特徴とする請求項１記載の照明ランプ。
【請求項４】
前記ランプ管の両端面が、該ランプ管の長さ方向に対し垂直でかつ該ランプ管の中心を通る平面に関して互いに面対称な平面で、該両端面が、該ランプ管の円筒軸を含みランプピンに平行な平面に対して、垂直であることを特徴とする請求項１記載の照明ランプ。
【請求項５】
前記ランプ管の両端面が、該ランプ管の長さ方向に対し垂直でかつ該ランプ管の中心を通る平面に関して互いに面対称な平面で、該両端面が、該ランプ管の円筒軸を含みランプピンに平行な平面に対して、傾いていることを特徴とする請求項１記載の照明ランプ。
【発明の詳細な説明】
【技術分野】
【０００１】
本発明はランプ管の側面にランプピンを有する照明ランプに関し、特にその形状に関するものである。
【背景技術】
【０００２】
従来特許文献１に記載されているように、ランプピンをランプ管の両端面ではなく側面に設けた、所謂シームレスランプ（「シームレスライン」は商標）が提案されている。それにより、複数の照明ランプを直列に配置する際に、照明ランプのランプ口金やランプソケット等の非発光部を極力除き、照明の連続性を保って一様な照明を行うことができる。
【特許文献１】特開２００１−２１０１３５号公報
【発明の開示】
【発明が解決しようとする課題】
【０００３】
しかしながら、従来の円柱型ランプ管を用いたシームレスランプでは、複数の照明ランプを直列に配置する際に、照明ランプの脱着作業における便宜上隣接するランプ管の対向する端部同士を完全に密着させることができず、隣接するランプ管の間に若干の間隙が残り暗部が生じてしまうという問題があった。
【０００４】
本発明は上記問題に鑑みてなされたものであり、照明の連続性を向上させるため、複数のシームレスランプを直列に配置する際に、隣接するランプ管の若干の間隙により生じる暗部を極力除く照明ランプの提供を目的とするものである。
【課題を解決するための手段】
【０００５】
本発明による照明ランプは、ランプ管の側面にランプピンを有し直列に配置される照明ランプにおいて、ランプ管の少なくとも一端面の一部がランプ管の円筒軸に対し傾いており、隣接する二本のランプ管の対向する端面同士が、ランプ管の長さ方向に対し垂直方向から見て少なくとも一部重なって、対向する端面間の間隙を相補的に補うような形状に形成されていることを特徴とするものである。
【０００６】
さらに、本発明による照明ランプは、ランプ管の両端面が互いに平行な平面であることが望ましい。この場合、両端面が、ランプ管の円筒軸を含みランプピンに平行な平面に対して、垂直であっても傾いていてもよい。すなわち、両端面が、ランプ管の円筒軸を含みランプピンに平行な平面に対して「垂直」であるものとは、本発明による照明ランプを、ランプ管の円筒軸にもランプピンにも垂直な方向から見た際、ランプ管の形状が平行四辺形のように見える照明ランプのことを意味し、「傾いて」いるものとは、ランプ管の円筒軸に対し垂直で上記以外の一方向から見た際、ランプ管の形状が平行四辺形のように見える照明ランプのことを意味する。
【０００７】
あるいは、本発明による照明ランプは、ランプ管の両端面が、ランプ管の長さ方向に対し垂直でかつランプ管の中心を通る平面に関して互いに面対称な平面であることが望ましい。またこの場合、両端面が、ランプ管の円筒軸を含みランプピンに平行な平面に対して、垂直であっても傾いていてもよい。すなわち、両端面が、ランプ管の円筒軸を含みランプピンに平行な平面に対して「垂直」であるものとは、本発明による照明ランプを、ランプ管の円筒軸にもランプピンにも垂直な方向から見た際、ランプ管の形状が等脚台形のように見える照明ランプのことを意味し、「傾いて」いるものとは、ランプ管の円筒軸に対し垂直で上記以外の一方向から見た際、ランプ管の形状が等脚台形のように見える照明ランプのことを意味する。
【発明の効果】
【０００８】
本発明による照明ランプによれば、複数のシームレスランプを直列に配置する際に、隣接するランプ管の対向する端部同士を完全に密着させずとも、ランプ管の端面がランプ管の長さ方向に対し垂直方向から見て、少なくとも一部重なって対向する端面間の間隙を相補的に補うような形状に形成されているため、照明の連続性を向上させることができる。
【発明を実施するための最良の形態】
【０００９】
以下、本発明の実施形態について図面を用いて説明する。
【００１０】
（実施形態１）
まず、本発明の第一の実施形態について説明する。図１は本発明の第一の実施形態による蛍光ランプの概略的側面図、図２，３，４は上記同様それぞれ上面図，底面図，正面図である。
【００１１】
本発明の第一の実施形態による蛍光ランプ１０ａは、図１に示すように蛍光管１１ａの側面１２ａにＪＩＳの定めるＧ５口金に対応したランプ口金１５ａが二つ取り付けられてなり、それぞれのランプ口金１５ａの口金本体１６ａの下面には２本のランプピン１７ａが設けられている。蛍光管１１ａの両端面１３ａは、互いに平行な平面で、蛍光管１１ａの円筒軸１４ａとの成す角θが４５°であり、かつその円筒軸１４ａを含みランプピン１７ａに平行な平面に対して垂直になるような形状に形成されている。
【００１２】
そして、上記のように構成された本実施形態による蛍光ランプ１０ａを、図５に示すように円筒軸１４ａに垂直でランプピン１７ａに平行な矢印Ｐ方向を主要な照明方向とし、隣接する二つの蛍光管１１ａの対向する端面１３ａ同士が互いに平行となるように、複数直列に配置する。これにより、蛍光管１１ａの端面１３ａが、隣接する蛍光管１１ａの対向する端面１３ａ間の間隙を相補的に補うため、矢印Ｐ方向に対する照明の連続性を向上させることができる。
【００１３】
（実施形態２）
次に、本発明の第二の実施形態について説明する。本実施形態における蛍光ランプ１０ｂ，１０ｃは、図６に示すようにそれぞれ第一の実施形態における蛍光管１１ａを蛍光管１１ｂ，１１ｃに変更したものであり、その他の構成は第一の実施形態と同様である。蛍光管１１ｂ，１１ｃは、それぞれの両端面１３ｂ，１３ｃが、蛍光管１１ｂ，１１ｃの長さ方向に対し垂直でかつ蛍光管１１ｂ，１１ｃの中心を通る平面に関して互いに面対称な平面で、円筒軸１４ｂ，１４ｃとの成す角θが４５°であり、かつ円筒軸１４ｂ，１４ｃを含みランプピン１７ｂ，１７ｃに平行な平面に対して垂直になるような形状に形成されているものである。そして、蛍光ランプ１０ｂは、口金１５ｂが蛍光管１１ｂの側面１２ｂ上の最長母線側に取り付けられているものであり、蛍光ランプ１０ｃは、口金１５ｃが蛍光管１１ｃの側面１２ｃ上の最短母線側に取り付けられているものである。なお、図１に示す第一の実施形態と同等の要素についての説明は、特に必要のない限り省略する。
【００１４】
そして、上記のように構成された本実施形態による蛍光ランプ１０ｂ，１０ｃを、図７に示すように矢印Ｐ方向を主要な照明方向とし、隣接する二つの蛍光管１１ｂ，１１ｃの対向する端面１３ｂ，１３ｃが互いに平行となるように、複数交互に直列に配置することにより、第一の実施形態と同様の効果を得ることができる。さらに、本実施形態は上記第一の実施形態に比べ、脱着作業上の利点を有する。すなわち、図５に示すように蛍光ランプ１０ａを複数直列に配置した第一の実施形態の場合、ある蛍光ランプ１０ａをランプピンに平行な方向に取り外す際、隣接する二つの蛍光ランプ１０ａのうちどちらかの一端部が必ず障害となるため、まず上記障害となっている蛍光ランプ１０ａを先に取り外さなければならない。結局これが繰り返され最終的に、蛍光ランプ１０ａ全体の端に配置された蛍光ランプ１０ａまで取り外すことになり、場合によっては取り外す蛍光ランプ数が非常に多くなってしまう。しかしながら、図７に示すように蛍光ランプ１０ｂ，１０ｃを複数交互に直列に配置する本実施形態の場合は、蛍光ランプ１０ｃの脱着作業は通常通りそのまま行え、蛍光ランプ１０ｂの脱着作業においても両隣の二つの蛍光ランプ１０ｃを取り外すだけで行える。
【００１５】
（実施形態３）
次に、本発明の第三の実施形態について説明する。本実施形態における蛍光ランプ１０ｄ，１０ｅは、図８に示すようにそれぞれ第二の実施形態における蛍光管１１ｃ，１１ｂの一端面１３ｃ，１３ｂを、蛍光管１１ｃ，１１ｂの円筒軸１４ｃ，１４ｂに垂直な平面１３ｄ’，１３ｅ’に変更したものであり、その他の構成は第二の実施形態と同様である。なお、図６に示す第二の実施形態と同等の要素についての説明は、特に必要のない限り省略する。
【００１６】
そして、上記のように構成された本実施形態による蛍光ランプ１０ｄ，１０ｅを、例えば図９に示すように蛍光ランプ１０ｂ，１０ｃを複数交互に直列に配置した第二の実施形態による蛍光ランプ全体の両端に、それぞれ蛍光ランプ１０ｄ及び／又は蛍光ランプ１０ｅを隣接する蛍光ランプの端面が平行となるように配置することにより、第一の実施形態と同様の効果を得ることができ、さらに、上記蛍光ランプ全体の両端を外観的にすっきりさせ空間的に効率よく使用することができる。
【００１７】
なお、上記第一の実施形態において、蛍光管１１ａの両端面１３ａと円筒軸１４ａとが成す角θを４５°と設定したが、本発明による蛍光ランプ１０ａは必ずしも上記角度に限定されるものではない。また、蛍光管１１ａの両端面１３ａが、円筒軸１４ａを含みランプピン１７ａに平行な平面に対して垂直になるような形状に形成された蛍光管１１ａを設定したが、本発明による蛍光ランプは必ずしも上記形状に限定されるものではない。すなわち、口金１５ａを蛍光ランプ１０ａに示す位置から、蛍光管１１ａの円筒軸１４ａ周りに任意に回転した位置に取り付けることも可能で、これにより蛍光ランプ１０ａの主要な照射方向を任意に設定することができる。例えば図１０に示すように、口金１５ａが蛍光ランプ１０ａに示す位置から、円筒軸１４ａを中心として時計周りに４５°回転した位置に取り付けられた蛍光ランプ２０の場合、蛍光管２１の円筒軸２４とランプピン２６に垂直な図１０中の矢印Ｑの方向に対する照明の連続性を向上させることができる。また、蛍光管１０ａの両端面１３ａを構成する面は必ずしも単一平面に限定されるものではなく、例えば曲面や複数の平面またはそれらの集合によって構成されていてもよい。また、ランプの種類を蛍光ランプとして設定したが本発明による照明ランプは必ずしもこれに限定されるものではなく、例えば白熱ランプに適用してもよい。また、ランプに取り付けられるランプ口金についても、ＪＩＳの定めるＧ５口金に対応したものと設定したが、必ずしもこれに限定されるものではない。一方、第二，第三の実施形態においても同様である。
【図面の簡単な説明】
【００１８】
【図１】本発明の第一の実施形態による蛍光ランプの概略的側面図
【図２】本発明の第一の実施形態による蛍光ランプの概略的上面図
【図３】本発明の第一の実施形態による蛍光ランプの概略的底面図
【図４】本発明の第一の実施形態による蛍光ランプの概略的正面図
【図５】図１の蛍光ランプを複数直列に配置した際の概略的側面図
【図６】本発明の第二の実施形態による蛍光ランプのうち口金が蛍光管の最長母線側に取り付けられているものの概略的側面図（Ａ）、本発明の第二の実施形態による蛍光ランプのうち口金が蛍光管の最短母線側に取り付けられているものの概略的側面図（Ｂ）
【図７】図６の二つの蛍光ランプを複数交互に直列に配置した際の概略的側面図
【図８】本発明の第三の実施形態による蛍光ランプのうち口金が蛍光管の最短母線側に取り付けられているものの概略的側面図（Ａ）、本発明の第二の実施形態による蛍光ランプのうち口金が蛍光管の最長母線側に取り付けられているものの概略的側面図（Ｂ）
【図９】第二，第三の実施形態による蛍光ランプを併用して複数直列に配置した際の概略的側面図
【図１０】本発明の第一の実施形態による蛍光ランプとランプピンの取り付け位置が異なるものの概略的側面図
【符号の説明】
【００１９】
１０ａ〜ｅ，２０    蛍光ランプ
１１ａ〜ｅ，２１    蛍光管
１２ａ〜ｅ，２２    蛍光管の側面
１３ａ〜ｅ，１３ｄ’，１３ｅ’，２３    蛍光管の端面
１４ａ〜ｅ，２４    蛍光管の円筒軸
１５ａ〜ｅ，２５    口金
１６ａ〜ｅ，２６    口金本体
１７ａ〜ｅ，２７    ランプピン
【図１】
2008282743.tif 000003
【図２】
2008282743.tif 000004
【図３】
2008282743.tif 000005
【図４】
2008282743.tif 000006
【図５】
2008282743.tif 000007
【図６】
2008282743.tif 000008
【図７】
2008282743.tif 000009
【図８】
2008282743.tif 000010
【図９】
2008282743.tif 000011
【図１０】
2008282743.tif 000012